(57)【要約】【課題】  年代や順路や重要度等の順序付けができる順序付け対象物件において、各個別順序付け部位の順序付けが解りにくかった。【解決手段】  年代や順路や重要度等の一連の順序付けができる順序付け対象物件における各個別順序付け部位に、虹色である「赤・橙・黄・緑・青・藍・紫」の各順位色のうちから、該各個別順序付け部位が属する順位に該当する順位色の色を割り当ててそれぞれ着色表示することにより、該着色表示の色を見ることで当該個別順序付け部位の位置（重要度ランクを含む）を知ることができるようにした。【選択図】      図１
2005140845.tif 000002
【特許請求の範囲】
【請求項１】
年代や順路や重要度等の一連の順序付けができる順序付け対象物件における各個別順序付け部位に、虹色である「赤・橙・黄・緑・青・藍・紫」の各順位色のうちから、該各個別順序付け部位が属する順位に該当する順位色の色を割り当ててそれぞれ着色表示することを特徴とする順序表示付与方法。
【発明の詳細な説明】
【技術分野】
【０００１】
本願発明は、年代や順路や重要度等の一連の順序付けができる順序付け対象物件において、各個別順序付け部位が一連の順序のどの位置にあるのかを解り易くするための順序表示付与方法に関するものである。
【背景技術】
【０００２】
一連の順序付けができる順序付け対象物件として、例えば、年代（時代）順に記述された歴史書や、各種の展示ブースを集めた展示会場や、美術館等における等級（重要度）の異なる各種展示品からなる展示品群、等の多岐に亘るものがある。
【０００３】
歴史書は、一般に年代（時代）の古い方から順に掲載されており、且つ各時代ごとにまとめて記述されている。しかし、従来の歴史書では、各時代の順序あるいは出来事と時代との関連性等を解り易くするための工夫が乏しかった。
【０００４】
各種の展示ブースを集めた展示会場や美術館等では、各ブースや展示品の観覧順序が決まっていると効率よく巡回できる。尚、美術館等では、順路を指示していることもあるが、これは単に順路を示すだけで、現在位置が全順路のどのあたりになるのか等を示すものではない。
【０００５】
美術館等における展示品は、国宝を頂点にして文化的価値が異なる各種のものがある。例えば、美術館等における展示品には、国宝、重要文化財、県宝、県指定の有形文化財、市町村指定の有形文化財、県指定の伝統工芸品、その他（指定なし）、等がある。しかし、これらの展示品に付される文化財の種類等については、その重要度についてよく理解できていない人もいる。特に、言語の解らない異国人には、文化財の種類の違いを理解するのは難しい。
【０００６】
尚、本願発明に関連する技術の一例として、例えば書籍において、各セクションごとにそれぞれ別の着色表示をしたものがあるが、その外に本願発明に対比するような公知文献は特に見当たらない。
【発明の開示】
【発明が解決しようとする課題】
【０００７】
ところで、上記のような何らかの順序付けができる順序付け対象物件については、それぞれ適当な順序付けを行うことが便利であるが、順序付けとして例えば数字で順位を表示したものでは、末尾の番号が解らないと当該個別順序付け部位が全体のどの位置（重要度ランクを含む）にあるか判別できない。
【０００８】
そこで、本願発明は、各種の順序付けができる順序付け対象物件に対して、各個別順序付け部位がどの位置（ランク）にあるか容易に確認できるようにした、順序表示付与方法を提供することを目的としている。
【課題を解決するための手段】
【０００９】
本願発明は、上記課題を解決するための手段として次の構成を有している。
【００１０】
本願発明は、年代や順路や重要度等の一連の順序付けができる順序付け対象物件における各個別順序付け部位を、色により識別し得るようにした順序表示付与方法を対象にしている。
【００１１】
順序付けができる順序付け対象物件としては、例えば、年代（時代）順に記述された歴史書や、各種の展示ブースを集めた展示会場や、美術館等における等級（重要度ランク）の異なる各種展示品からなる展示品群、等の多岐に亘るものがある。
【００１２】
そして、本願発明では、それらの各種の順序付け対象物件における個別順序付け部位に対して、虹色である「赤・橙・黄・緑・青・藍・紫」の各順位色のうちから、該個別順序付け部位が属する順位に該当する順位色の色を割り当ててそれぞれ着色表示するものである。
【００１３】
虹色は、「赤・橙・黄・緑・青・藍・紫」の７色であり、この虹色（７色）の種類及び色の順位（並び）は万国共通で認知されている。そして、この虹色を、年代や順路や重要度等の一連の順序付け対象物件の各個別順序付け部位に対して、順序付け表示として利用すると、各個別順序付け部位が全体のどの位置（重要度ランクを含む）にあるかを一目で判別できる。
【００１４】
虹色の７色の順序付けは、「赤」が第１順位で、以下「紫」の第７順位まで順次割り当てる。尚、虹色は７色であるが、個別順序付け部位の個数（又はランク個数）が７個を超えるときには、例えば虹色の各色に濃薄の差をつけて分割したり（２段階でも３段階でもよい）、あるいは各順位色（例えば「赤」と「橙」）の間のランクにその両方の色（例えば「赤・橙」）を半々に併記したりすることで、必要に応じて順位色の個数を増加させることができる。尚、順序付け個数が７個に満たない場合は、虹色の順位色の「赤」から順に割り当てていき、その残余の順位色（例えば「紫」）は不使用にする。
【００１５】
本願の順序表示付与方法の使用例として、例えば次のようなものがある。
【００１６】
例えば、歴史書は、一般に年代（時代）の古い方から順に掲載されている（例えば、古墳時代→飛鳥・奈良時代→平安時代→鎌倉時代→室町・安土桃山時代→江戸時代→近現代という順に掲載されている）。そして、歴史書においては、各時代ごとの各頁の適所（例えば紙面の縁）に、古い方から順に虹色の各順位色を割り当てて着色表示すると、その色を見ることで（同色か否かで）、各出来事が１つの時代の範囲のものかどうかの判別ができるとともに、虹色（７色）の中のどの順位色かによって当該時代が歴史全体の中のどの位置位置にあるかが解る。尚、書物によっては、セクションごとに色分け表示したものが見受けられるが、この種の色分け表示は１つのまとまり（セクション）を表示するのみで、本願が対象にしている個別順序付け部位の順序付け機能ではない。
【００１７】
又、各種の展示ブースを集めた展示会場や美術館等では、各ブースや展示品の観覧順序が決まっていると混雑しないで巡回できるが、会場に単に順路が表示されているだけでは、現在位置が全順路のどのあたりになるのか、あるいはあとどれくらい残っているのか等を知ることができない。
【００１８】
又、美術館等における展示品は、国宝を頂点にして文化的価値が異なる各種のものがある。例えば、美術館等における展示品には、国宝、重要文化財、県宝、県指定の有形文化財、市町村指定の有形文化財、県指定の伝統工芸品、その他（指定なし）、等がある。そして、このような順序付け（重要度付け）できる展示品については、それらの展示品の説明プレートに、当該展示品が属する順位に該当する虹色中の順位色を表示するとよい。例えば、展示品が国宝であれば第１順位色の「赤」、重要文化財であれば第２順位色の「橙」、県宝では第３順位色の「黄」というふうに、展示品の重要度ランクによって虹色中の順位色を付与すればよい。
【発明の効果】
【００１９】
このように、本願発明では、一連の順序付けができる順序付け対象物件における各個別順序付け部位に、虹色である「赤・橙・黄・緑・青・藍・紫」の各順位色のうちから、各個別順序付け部位が属する順位に該当する順位色の色を割り当ててそれぞれ着色表示するようにしているので、個別順序付け部位の色を見るだけで、一連の順序付け対象物件中における当該個別順序付け部位の位置（重要度ランクを含む）を明確に認識できる。又、虹色の各順位色（赤・橙・黄・緑・青・藍・紫の順）は、言語が異なる異国人であっても万国共通のものであり、順序付け表示に虹色の順位色を使用すると、見る人に理解させ易いという効果がある。
【実施例】
【００２０】
図１〜図６を参照して、本願発明の順序表示付与方法の実施例を説明すると、図１及び図２には第１実施例、図３及び図４には第２実施例、図５及び図６には第３実施例がそれぞれ示されている。尚、上記各実施例では、順序付け対象物件として、それぞれ次のものを採用している。即ち、図１及び図２の第１実施例では各時代ごとに記述されている歴史書を採用しており、図３及び図４の第２実施例では各展示ブースを集合させた展示会場を採用しており、図５及び図６の第３実施例では美術館等に展示されている展示品群を採用している。
【００２１】
図１及び図２の第１実施例
この第１実施例では、特許請求範囲における順序付け対象物件が歴史書であり、同じく特許請求範囲における個別順序付け部位が該歴史書における各時代（古墳時代〜近現代）ごとの頁（例えば図２）である。
【００２２】
そして、この第１実施例では、図１に示すように虹色である「赤・橙・黄・緑・青・藍・紫」の７色を「赤」から古い順の順位色３Ａ〜３Ｇとし、該各順位色３Ａ〜３Ｇを歴史書における各時代（古墳時代〜近現代）ごとの記述部分に割り当ててそれぞれ適所に着色表示（図２の符号３Ａ部分）している。
【００２３】
この第１実施例では、各順位色３Ａ〜３Ｇは、図２に例示するように各頁の紙面２の上縁部と外縁部とに跨がって細幅づつ着色表示している。尚、図２の紙面２は、歴史書における時代的に最も古い古墳時代を記述したもので、着色部３Ａの色は「赤」である。そして、この歴史書では、各時代の古い順に虹色の各順位色３Ａ〜３Ｇを割り当てている。即ち、図１に示すように、古墳時代の記述頁には「赤」の着色３Ａ、飛鳥・奈良時代の記述頁には「橙」の着色３Ｂ、平安時代の記述頁には「黄」の着色３Ｃ、鎌倉時代の記述頁には「緑」の着色３Ｄ、室町・安土桃山時代の記述頁には「青」の着色３Ｅ、江戸時代の記述頁には「藍」の着色３Ｆ、近現代の記述頁には「紫」の着色３Ｇをそれぞれ施す。尚、順序付け個数（区分けすべき年代）が７個を超えるときには、例えば虹色の各色に濃薄の差をつけたり（２段階でも３段階でもよい）、あるいは各順位色（例えば「赤」と「橙」）の間の順位にその両方の色（例えば「赤・橙」）を半々に併記したりすること等で、順位色の個数を増加させることができる。尚、順序付け個数が７個に満たない場合は、虹色の順位色の「赤」から順に割り当てていき、その残余の順位色（例えば「紫」）は不使用にする。
【００２４】
又、紙面２に絵（図２の符号４）を掲載している場合には、該絵４部分の適所（図示例では下辺）に、その絵が属している時代を表す順位色（図２では「赤」）を着色表示（符号４ａ）しておくと、該絵４を時代（古墳時代）に関連付けて学習（理解・記憶）することができる。
【００２５】
この第１実施例のものでは、虹色（赤・橙・黄・緑・青・藍・紫）の各順位色３Ａ〜３Ｇを歴史書の各時代ごとの記述頁に割り当ててそれぞれ着色表示しているが、このようにすると、歴史書の頁の着色表示の色を見ることで（同色か否かで）、各出来事が１つの時代の範囲のものかどうかの判別ができる。又、虹色（７色３Ａ〜３Ｇ）の中のどの順位色かによって、当該時代の古さが全体の中のどの位置にあるかを感覚的に理解できる。
【００２６】
尚、この第１実施例の場合には、この歴史書の目に付き易い場所に、時代の古い順に虹色の「赤」から順の各順位色３Ａ〜３Ｇを割り当てていること（例えば図１の表示）を表示しておくとよい。
【００２７】
図３及び図４の第２実施例
この第２実施例では、図４に示すように、特許請求範囲における順序付け対象物件が複数の展示ブースを集合させた展示会場５であり、同じく特許請求範囲における個別順序付け部位が該展示会場５における各展示ブース（第１ブース〜第７ブース）６Ａ〜６Ｇである。尚、各展示ブースは、展示会場における入口側からの順路順に第１ブース６Ａ〜第７ブース６Ｇとしている。
【００２８】
そして、この第２実施例では、図３に示すように虹色である「赤・橙・黄・緑・青・藍・紫」の７色を「赤」から順の順位色３Ａ〜３Ｇとし、該各順位色３Ａ〜３Ｇを展示会場５内に設置される各展示ブース（第１ブース〜第７ブース）６Ａ〜６Ｇに割り当ててそれぞれ展示ブースの適所（例えば立て看板等）に着色表示している。尚、展示ブースの個数が７個より多い場合は、上記第１実施例で記載したように、虹色の各順位色を濃薄分割する等の方法で順位色の個数を増加させることができ、他方、展示ブースの個数が７個未満の場合には、残余（不使用）の順位色（例えば「紫」）は使用しない。
【００２９】
この第２実施例では、各展示ブース６Ａ〜６Ｇに付与している虹色の各順位色３Ａ〜３Ｇによって、各展示ブースの観覧順序が解るとともに、現在居る位置の展示ブースの順位色を見ることによって現在位置が全順路のどのあたりにあるのかが理解できる。
【００３０】
尚、この第２実施例の場合には、展示会場５の入口付近の目に付き易い場所に、順路順の各展示ブース６Ａ〜６Ｇに虹色の「赤」から順の各順位色３Ａ〜３Ｇを割り当てていること（例えば図３の表示）を表示しておくとよい。
【００３１】
図５及び図６の第３実施例
この第３実施例では、図６に示すように、特許請求範囲における順序付け対象物件が美術館等における多数の展示品群であり、同じく特許請求範囲における個別順序付け部位が展示品群の各展示品７である。
【００３２】
美術館等に収蔵されている各種展示品７は、文化的価値（図５に示す各種ランク）が異なっている。例えば、この種の展示品には、国宝、重要文化財、県宝、県指定の有形文化財、市町村指定の有形文化財、県指定の伝統工芸品、その他指定なし、等がある。そして、このようなランク付け（重要度付け）できる各展示品７については、それらの展示品の説明プレート８等に、当該展示品が属するランクに該当する虹色中の順位色３Ａ〜３Ｇを表示するとよい。例えば、展示品が国宝（第１ランク）であれば第１順位色の「赤」、重要文化財（第２ランク）であれば第２順位色の「橙」（図６の例）、県宝（第３ランク）であれば第３順位色の「黄」というふうに、展示品の重要度ランクによって虹色中の該当する順位色を付与すればよい。
【００３３】
この第３実施例のものでは、展示品７に付与されている順位色（３Ａ〜３Ｇ）の色を見ることで、文書表示とは別に当該展示品７の重要度ランクが一目で理解でき、且つその重要度ランクが全ランク中のどの程度の高さにあるかを瞬時に理解できる。このことは、特に説明文を読めない人（例えば異国人）や文意（文化財種類の等級等）が解らない人でも、展示品７における順位色（３Ａ〜３Ｇ）の色を知ることで、当該展示品の重要度ランクを理解できる。
【００３４】
尚、この第３実施例の場合にも、美術館の入口付近の目に付き易い場所に、各展示品７の説明プレート８等に重要度ランクを示す虹色のうちのいずれかの順位色（３Ａ〜３Ｇ）を割り当てていること（例えば図５の表示）を表示しておくとよい。
【図面の簡単な説明】
【００３５】
【図１】本願第１実施例の順序表示付与方法を示す説明図である。
【図２】図１の順序表示付与方法を具体化した歴史書の１つの頁の平面図である。
【図３】本願第２実施例の順序表示付与方法を示す説明図である。
【図４】図３の順序表示付与方法を具体化した展示会場の平面図である。
【図５】本願第３実施例の順序表示付与方法を示す説明図である。
【図６】図５の順序表示付与方法を具体化した展示品の正面図である。
【符号の説明】
【００３６】
２は紙面、３Ａ〜３Ｇは虹色の順位色、４は絵、５は展示会場、６Ａ〜６Ｇは展示ブース、７は展示品、８は説明プレートである。
【図１】
2005140845.tif 000003
【図２】
2005140845.tif 000004
【図３】
2005140845.tif 000005
【図４】
2005140845.tif 000006
【図５】
2005140845.tif 000007
【図６】
2005140845.tif 000008